(57)【特許請求の範囲】
【請求項１】
電子装置の筐体の外側に複数のビスで固定されるファンと、
前記複数のビスのうちの一部のビスを用いて、前記ファンの前記筐体と反対側に重ねて固定されるファンケースと、
該ファンとファンケースとの間に挟持されるグリルと、
を有する電子装置の換気装置。
【請求項２】
前記ケースの前記一部のビスが貫通するビス穴はビス径よりも大きくビスヘッドの径よりも小さい小穴であり、他のビスが貫通するビス穴はビスヘッドよりも大きい大穴になっている請求項１に記載の電子装置の換気装置。
【請求項３】
前記ファンケースの前記一部のビスが貫通するビス穴はビス径よりも大きくビスヘッドの径よりも小さい小穴であり、他のビスがファンに取り付けられる位置はビスヘッドを内部に収容する膨出部になっている請求項１に記載の電子装置の換気装置。
【請求項４】
前記ファンは４本のビスで筐体に取り付けられ、そのうち対角の２本のビスが前記一部のビスとしてファンケースを固定する請求項１乃至請求項３のいずれかに記載の電子装置の換気装置。
【発明の詳細な説明】
【０００１】
【発明の属する技術分野】
この発明は、カラオケ装置などの電子装置の筐体内部の熱せられた空気を外部に排出する換気装置に関し、特にそのメンテナンス性の向上に関する。
【０００２】
【従来の技術】
多くの電子機器は、電子回路等の発熱によって熱せられた空気を外部に排出するため、換気用のファンが設けられている。一般的に換気用のファンは筐体に取り付けられ、その送風方向は筐体内部の空気を外部へ排出する方向である。
【０００３】
カラオケ装置にもこの換気用のファンが設けられているが、カラオケ装置は、飲食店など電子装置にとって必ずしも環境が良いとは言えない場所に設置される場合が多い。すなわち、飲食店は調理による湿気や油脂分を多く含みホコリが多い雰囲気であり、また、ゴキブリなどの小虫が多いという環境である。
【０００４】
このため、カラオケ装置の換気部は、ファン用の開口部から装置内部に虫が入り込まないように細かいネット状のグリルを備える必要があるうえ、空気が綺麗でないため頻繁にこのグリルを掃除する必要がある。ファンの送風方向は装置内部から外向きでホコリはグリルの内側に付着するため、綺麗に掃除するためにはグリルを外さなければならず、また、ファンにもホコリが付着しやすいため、時々はファンそのものも掃除または交換の必要がある。
【０００５】
【発明が解決しようとする課題】
しかし、従来はファンが筐体の内側に取り付けられていたため、ファンの掃除や交換などのメンテナンスを行う場合には、筐体の背面パネルを外してファンを取り外す必要があり非常に面倒であった。
【０００６】
そこで、ファンを背面パネルの外側に取り付けることが考えられるが、グリルは、ファンの更に外側に取り付ける必要がある。一般的にファンやグリルは、背面パネルに対してビス止め固定されるが、それぞれを別々のビスで固定する構造では、ネジの本数が多くなるうえ全体の取付構造が複雑化してしまうという問題点がある。また、ファンとグリルを同じビスで固定する構造にした場合には、グリルを取り外すとき一緒にファンまで外れてしまい、頻繁に行われるグリル掃除の場面のメンテナンス性が悪くなるという問題点があった。
【０００７】
この発明は、簡略な構成でメンテナンス性を向上した電子装置の換気装置を提供することを目的とする。
【０００８】
【課題を解決するための手段】
請求項１の発明は、電子装置の筐体の外側に複数のビスで固定されるファンと、前記複数のビスのうちの一部のビスを用いて前記ファンの前記筐体と反対側に重ねて固定されるファンケースと、該ファンとファンケースとの間に挟持されるグリルと、を有することを特徴とする。
請求項２の発明は、請求項１の発明において、前記ケースの前記一部のビスが貫通するビス穴はビス径よりも大きくビスヘッドの径よりも小さい小穴であり、他のビスが貫通するビス穴はビスヘッドよりも大きい大穴になっていることを特徴とする。
請求項３の発明は、請求項１の発明において、前記ファンケースの前記一部のビスが貫通するビス穴はビス径よりも大きくビスヘッドの径よりも小さい小穴であり、他のビスがファンに取り付けられる位置はビスヘッドを内部に収容する膨出部になっていることを特徴とする。
請求項４の発明は、請求項１〜３の発明において、前記ファンは４本のビスで筐体に取り付けられ、そのうち対角の２本のビスが前記一部のビスとしてファンケースを固定することを特徴とする。
【０００９】
この発明において、ファンは、必要十分の本数のビスで固定される。電気装置の換気用のファンとしては、正面形状が正方形のフレームを有するモータファンが一般的に用いられる。この種のファンは、フレームの四隅にビス穴を有し、４本のビスで電子装置の筐体に取り付け固定される。そして、このうちの一部のビスがさらにファンケースの小穴を貫通して締められ、ファンを固定するとともにこのファンケースを固定する。このファンケースとファンとの間にグリルが挟持される。
【００１０】
この構造により、前記一部のビスを外せばファンケースとグリルのみを取り外すことができ、そのときにファンが外れることはない。このとき電子装置装置は動作しておらずファンが回転していないため、固定用ビスの本数が少なくなっても何ら支障はない。そして、全部のビスを外せば、ケース，グリルとともに、ファンも電子機器筐体から取り外すことができ、掃除や交換が可能になる。このようにビスの本数を増やさずにファンとグリル（ファンケース）の両方を固定することができ、且つグリルのみを取り外すことができるようになる。
【００１１】
【発明の実施の形態】
図１はこの発明の実施形態である換気装置が設けられたカラオケ装置の背面の斜視図、図２は同カラオケ装置のモータファン１、グリル３の正面図、図３は、同カラオケ装置のファンケース２の正面図および側断面図、また、図４は前記モータファン１、グリル３、ファンケース２の組み立て手順および分解手順を示す分解斜視図である。
【００１２】
図１において、カラオケ装置の筐体５の背面パネル６の外側に換気装置７が設けられている。換気装置７は図４の分解斜視図に示すように、モータファン１、グリル３、ファンケース２およびビス４（４ａ〜４ｄ）などで構成されている。図１に示すように換気装置７はカラオケ装置の筐体から背面方向に突出しているが、これ以外にもたとえばＳＣＳＩコネクタなど装置の背面側に突出している部材があるため、この換気装置７のために従来よりも特段に奥行きが必要になるということはない。このように外側に換気装置７を設けたことにより、筐体５や背面パネル６を外さなくてもモータファン１やグリル３を掃除することができる。
【００１３】
図２（Ａ）において、モータファン１は、正面形状が正方形のフレーム１２内の開口部１２ａにＤＣモータ１０および複数のフィン１１を設けた構造になっている。フレーム１２の４隅にはビス穴１３ａ〜１３ｄが開設されている。いずれもビス４の径よりも大きくビス４のビスヘッドの径よりも小さい貫通穴である。
【００１４】
同図（Ｂ）において、グリルは細かいネット状になっており、モータファン１の正面形状と同じ正方形に近い形状であるが、四隅が切り欠かれており、モータファン１のビス穴１３ａ〜１３ｄにかからないようになっている。
【００１５】
図３においてファンケース２は、正面形状がモータファン１の正面形状と一致する正方形であり、正方形の各辺には内部にモータファンを収納するための立ち上がり部２３が形成されている。正方形の正面の中央部に開口部２０を有している。この開口部２０は、モータファン１のフレーム１２の開口部１２ａの形状と一致している。そして、このファンケース２の正面の４隅にビス穴２１ａ〜２１ｄが開設されている。このうち、一方の対角線上に位置する２１ａおよび２１ｃは段差部２２ａ，２２ｃ内に設けられた小穴であり、他方の対角線上に位置する２１ｂおよび２１ｄは、大穴である。ここで小穴とは、ビス４の径よりも大きくビス４のビスヘッドの径よりも小さい穴であり、このビス穴に通されたビス４によって固定される穴である。また、大穴とはビスヘッドよりも大きい穴でありビス４で係止されない大きさのものである。
【００１６】
なお、同図（Ｂ）の断面図に示すように、残差部２２ａ，２２ｃは、ファンケース２の内側、すなわちモータファン１側に突出するように形成されている。この段差部２２ａ，２２ｃの段差はグリル３の厚みと同じである。これにより、ファンケース２はグリル３を挟んだ状態で、ビス４によりモータファン１に対して固定される（この段差がないと、ビス４を締め込んだときグリル３の厚み分の空間を無くすようにファンケース２が変形してしまう）。
【００１７】
図４は換気装置７の組み立ておよび分解手順を示す分解斜視図である。ここで、カラオケ装置の背面パネル６には、換気装置７を取り付けるための開口部６０および雌ネジ部６１ａ〜６１ｄが開設されている。開口部６０にはモータファン１の開口部１２ａおよびファンケース２の開口部２０が対向する。また、この開口部６０の周囲に開設されている雌ネジ部６１ａ〜６１ｄにはビス４ａ〜４ｄがそれぞれ螺合する。
【００１８】
組み立て手順としては、まず、背面パネル６の開口部６０から電源ケーブル（不図示）を引き出してモータファン１に接続する。そしてビス４ｂ，４ｄをモータファン１のビス穴１３ｂ，１３ｄに通して背面パネル６の雌ネジ部６１ｂ，６１ｄに螺合させて締め込む。これにより、モータファン１は背面パネル６に固定される。ただし、このままではモータファン１を回転させる程度に完全に固定されていない。
【００１９】
次に、ファンケース２の背面にグリル３をはめ込み（図３（Ａ）参照）、ビス４ａ，４ｃをビス穴２１ａ，２１ｃおよび１３ａ，１３ｃに通して背面パネル６の雌ネジ部６１ａ，６１ｃに螺合させて締め込む。これにより、ファンケース２がモータファン１に対して固定されるとともに、モータファン１も、上記ビス４ｂ，４ｄに加えてさらにこの２本のビス４ａ，４ｃによって確実に背面パネル６に固定され、モータを回転させても振動やずれが生じなくなる。また、グリル３もモータファン１とファンケース２との間に挟持され、ファンケース２の立ち上がり部２３に囲まれているため外れることがない。
【００２０】
この手順で組み立てられた換気装置７のグリル３を掃除する場合には、ビス４ａおよび４ｃのみを外すことにより、モータファン１を外すことなく、ファンケース２とグリル３のみを取り外すことができ、メンテナンス性よく掃除をすることができる。また、モータファン１を掃除または交換する場合には４本のビス４ａ〜４ｄを全て外せばよい。
【００２１】
図５はファンケース２の他の実施形態を示す図である。上記の実施形態においては、モータファン１のみを固定するためのビス４ｂ、４ｄでファンケース２を係止しないようにファンケース２に大穴２１ｂ，２１ｄを開設しているが、この実施形態では大穴２１ｂ，２１ｄに代えて、膨出部２４ｂ，２４ｄを設けている。この膨出部２４ｂ，２４ｄは、換気装置７の組み立て時に先にモータファン１を固定するビス４ｂ，４ｄのビスヘッドを収容する大きさを有している。この実施形態のファンケースも図４の手順で組み立て・分解されるが、グリル３（ファンケース２）のみを外すときに誤ってビス４ｂ，４ｄを外してしまうという間違いを防止することができる。
【００２２】
上記実施形態ではモータファン１の正面形状が正方形で４本のビスで固定されるものについて説明したが、モータファンの形状および固定用のビスの本数はこれに限定されない。
【００２３】
【発明の効果】
以上のようにこの発明によれば、換気用のファンを固定するビスのみでグリルおよびファンケースを固定することができて構造が簡略であるとともに、ファンを電子装置に取り付けた状態を維持しながらグリルのみを取り外すことができ、メンテナンス性を向上することができる。
【図面の簡単な説明】
【図１】この発明の実施形態であるカラオケ装置の換気装置を示す斜視図
【図２】同カラオケ装置の換気装置のモータファンおよびグリルの正面図
【図３】同換気装置のファンケースの正面図および側断面図
【図４】同換気装置の分解斜視図
【図５】前記ファンケースの他の実施形態を示す図
【符号の説明】
１…ファン、２…ファンケース、３…グリル、４（４ａ〜４ｄ）…ビス、５…（カラオケ装置の）筐体、６…（筐体の）背面パネル、７…換気装置、１０…モータ、１１…フィン、１２…フレーム、１２ａ…開口部、１３（１３ａ〜１３ｄ）…ビス穴、２０…開口部、２１ａ，２１ｃ…ビス穴（小穴）、２１ｂ，２１ｄ…ビス穴（大穴）、２２ａ，２２ｃ…段差部、２３…立ち上がり部、３０…切欠部、６０…開口部、６１（６１ａ〜６１ｄ）…雌ネジ部、２４ｂ，２４ｄ…膨出部
【図１】
0003685030.tif 000002
【図２】
0003685030.tif 000003
【図３】
0003685030.tif 000004
【図４】
0003685030.tif 000005
【図５】
0003685030.tif 000006